(57)【特許請求の範囲】
【請求項１】
枚葉紙処理機械の紙差し板上の枚葉紙の側方を揃える装置であって、前記枚葉紙が、引き寄せ装置(17,18)によって、前記枚葉紙の搬送方向に対して横に動かされ、前記引き寄せ装置(17,18)には、引き寄せ工程の間作動する多重給紙監視装置が設けられており、第２の前記引き寄せ装置(17または18)が、第１の前記引き寄せ装置(17または18)に対向して配置されており、前記多重給紙監視装置を有する押圧ローラ(22,23)が、前記枚葉紙を安定させるために、各々の前記引き寄せ装置(17;18)にそれぞれ付属している、枚葉紙の側方を揃える装置において、
前記引き寄せ装置(17;18)の一方を作動させる場合に、前記枚葉紙(9)の、互いに対向する側部上にそれぞれ配置されている前記押圧ローラ(22,23)が、前記多重給紙監視装置と共に作動可能に配置されていることを特徴とする、枚葉紙処理機械の紙差し板上の枚葉紙の側方を揃える装置。
【請求項２】
両方の前記引き寄せ装置の一方を作動させる場合に、両方の前記押圧ローラ(22,23)が、前記多重給紙監視装置と共に作動可能に配置されている、請求項１に記載の枚葉紙の側方調整装置。
【請求項３】
前記押圧ローラ(22,23)が、自由に回転できるように支持されている対向ローラ(24,26)と共に動作する、請求項１または２に記載の枚葉紙の側方調整装置。
【発明の詳細な説明】
【０００１】
【発明の属する技術分野】
本発明は、多重給紙を検知する装置を有する、枚葉紙処理機械の紙差し板上の枚葉紙の側方を揃える装置に関する。
【０００２】
【従来の技術】
枚葉紙処理機械、特に枚葉紙輪転印刷機では、側方を真っ直ぐに揃えるべき枚葉紙が、側方に引き寄せられる動作の間に、斜めにされるという問題がある。
【０００３】
この問題を解決するために、支持ローラを紙差し板の中心と側方引き寄せ装置の作動進路との間の交差点に配置すること、および多重給紙を検知する装置をこの支持ローラに設けることが、ドイツ特許出願公開第3536533号明細書によって既に知られている。
【０００４】
【発明が解決しようとする課題】
本発明の目的は、多重給紙を検知する装置を備えた、枚葉紙の側方を真っ直ぐに揃える装置を提供することにある。
【０００５】
【課題を解決するための手段】
この目的は、本発明によれば請求項１の特徴項によって達成される。すなわち、第２の引き寄せ装置が、第１の引き寄せ装置に対向して配置されており、多重給紙監視装置を有する押圧ローラが、枚葉紙を安定させるために、各々の引き寄せ装置にそれぞれ付属している。
【０００６】
本発明の利点は、多重給紙の検知装置が保持機能を有しており、そして、この目的のために、最も好ましい保持点に、すなわち枚葉紙の、引き寄せ装置にそれぞれ対向する側部上に配置されているということである。
【０００７】
この方策のおかげで、枚葉紙の側方を揃える際に枚葉紙を平行に案内するための、枚葉紙搬送方向の保持力は、非常に小さくて済む。
【０００８】
２つの側方引き寄せ装置のこの配置によって、枚葉紙を真っ直ぐに揃えることが、左側の側方ストッパのみならず右側の側方ストッパによっても可能である。側方引き寄せ装置の領域における、２つの多重給紙監視装置の配置は、２枚の給紙および多数枚の給紙の他に、付加的に折り曲げられた枚葉紙角部を検知する位置にある。
【０００９】
側方の揃えの際の枚葉紙のスライド特性を良好にするために、多重給紙監視装置は、自由に回転できるように支持されている対向ローラと共働する押圧ローラを有している。
【００１０】
【発明の実施の形態】
次に、本発明の実施の形態について図面を参照して説明する。
【００１１】
枚葉紙輪転印刷機1は、給紙装置2と、若干の印刷ユニット3,4、すなわち少なくとも１つの印刷ユニット3または4と、排紙装置6とを有している。枚葉紙9は、給紙装置2の給紙パイル7から、分離ユニット11により分離され、給紙板12上を枚葉紙輪転印刷機1に搬送される。給紙板12の、印刷機側の端部には、枚葉紙9の側方を揃える側方引き寄せ装置10と、枚葉紙9の前縁を揃えるための前方ストッパ13とが備えられている。揃え工程が行われた後、枚葉紙9は、この枚葉紙9を枚葉紙輪転印刷機1の給紙胴16のくわえづめ装置15に渡す、揺動可能に設けられている搬送用くわえづめ14によって受け取められる。
【００１２】
側方引き寄せ装置10は、揃えるべき枚葉紙9に保持力を及ぼすことを可能にするために特に吸引空気が作用する２つの引き寄せ案内レール17,18を備えている。引き寄せ案内レール17,18は、給紙板12の、枚葉紙9の搬送面の下に、互いに対向して、揃えるべき枚葉紙の側方の縁部領域にそれぞれ配置されている。
【００１３】
図２中の矢印で示されている枚葉紙搬送方向に見て左側と右側にそれぞれ、枚葉紙9を選択的に揃える側方ストッパ19,21が備えられている。
【００１４】
枚葉紙搬送方向に見て、引き寄せ案内レール17,18の直ぐ前にそれぞれ、給紙板12の搬送面の下方に自由に回転できるように支持されている対向ローラ24,26と共働する、機械サイクルで周期的に揺動可能な押圧ローラ22,23が備えられている。
【００１５】
押圧ローラ22,23と、これにそれぞれ対向する対向ローラ24,26は、枚葉紙搬送方向に対して横方向に、すなわち側方揃えの方向に回転できるように支持されている。
【００１６】
枚葉紙輪転印刷機1の方向に搬送される枚葉紙９は前方ストッパ13に到達し、その場所で、後続の胴、例えば給紙胴16の周方向に揃えられる。次に、枚葉紙9は、側方ストッパ19により枚葉紙9の側方を揃えるために、吸引空気が作用する引き寄せ案内レール17により、側方ストッパ19に向かって引き寄せられる。
【００１７】
枚葉紙9の前縁の揃え、または周囲の揃えの後、多重給紙を検知するために、そして同時に、引き寄せ案内レール17による側方揃えの際に枚葉紙9を案内するために、制御用の押圧ローラ23がカム28により、回転可能に支持された対向ローラ26の領域の枚葉紙9上に下げられる。
【００１８】
この実施形態で左側に配置された側方ストッパ19に向かって引き寄せられる枚葉紙9は、枚葉紙を安定させるために、枚葉紙9が前方ストッパ13から跳ね返ることまたは離れることを回避するように、他の側方上に配置された押圧ローラ23と対向ローラ26によって案内される。
【００１９】
押圧ローラ22,23は、同時に、多重給紙監視装置を備えており、然るべき導線により、枚葉紙輪転印刷機1の制御コンピュータ31に接続されている。この枚葉紙輪転印刷機は、多重給紙が検知された場合には、例えば制御コンピュータ31により停止される。
【００２０】
揃えられるべき枚葉紙９をより良好に案内するために、押圧ローラ22,23を同時に作動させてもよい。
【００２１】
この方策により、多重給紙を同時に２つの異なる測定箇所で検知することが可能であり、これにより、測定の信頼性が向上する。同時に、作動させられている引き寄せ案内レール17または18のそれぞれに対向する側部に生じる、折り曲げられた枚葉紙の角部を検知することも可能である。
【図面の簡単な説明】
【図１】枚葉紙輪転印刷機を示す概略図である。
【図２】揃えられるべき枚葉紙の上方を概略的に示す平面図である。
【図３】枚葉紙処理機械の紙差し板上の揃えられるべき枚葉紙を概略的に示す背面図である。
【図４】側方揃えの位置にある図１の枚葉紙を示す図である。
【符号の説明】
1      枚葉紙輪転印刷機
2      給紙装置
3,4    印刷ユニット
6      排紙装置
7      給紙パイル
9      枚葉紙
10     側方引き寄せ装置
11     分離ユニット
12     給紙板
13     搬送用ストッパ
14     搬送用くわえづめ
15     くわえづめ装置
16     給紙胴
17,18  引き寄せ案内レール
19,21  側方ストッパ
22,23  押圧ローラ
24,26  対向ローラ
28     カム
31     制御コンピュータ
【図１】
0004450929.tif 000002
【図２】
0004450929.tif 000003
【図３】
0004450929.tif 000004
【図４】
0004450929.tif 000005